(57)【特許請求の範囲】
【請求項１】
空気調和機の前面に配置されるパネルと該パネルの前面に取り付けられる前面グリルと該前面グリルの吸入口の内側に配置され、吸入された空気との熱交換を行う熱交換器と該熱交換器の下部に設けられ、該熱交換器に付着した水滴を回収する露受け部と該露受け部の前面と前記パネルとの間に設けられ、少なくとも運転状態表示を行う電気部品を内蔵した表示部とを有した空気調和機において、
前記表示部による光通過部分であって前記パネル上に形成された表示用の開口部を少なくとも塞ぎ、該開口部と前記前面グリルとの間に設けられた透明カバーと、
前記透明カバーの前面であって前記開口部に対応する前記前面グリル上に設けられ、光を通過させるランプカバーと、
を備え、前記前面グリルは、前記表示部による複数の光通過部分をそれぞれ仕切るリブを有することを特徴とする空気調和機。
【請求項２】
前記透明カバーは、前記パネルと前記表示部との間に設けられたことを特徴とする請求項１に記載の空気調和機。
【請求項３】
前記透明カバーは、前記パネル側に取り付けられることを特徴とする請求項１に記載の空気調和機。
【請求項４】
前記透明カバーと前記パネルとの接合部は、凹凸形状であることを特徴とする請求項３に記載の空気調和機。
【請求項５】
前記透明カバーは、前記表示部側に取り付けられることを特徴とする請求項１に記載の空気調和機。
【請求項６】
前記透明カバー、前記ランプカバー、前記パネル、および前記前面グリルは、耐洗浄剤性の高い材料で形成したことを特徴とする請求項１〜５のいずれか一つに記載の空気調和機。
【請求項７】
前記表示部は、その天面が延長された屋根状リブで形成されることを特徴とする請求項１〜６のいずれか一つに記載の空気調和機。
【請求項８】
前記屋根状リブは、前記露受け部に向かって低くなる傾斜をもつことを特徴とする請求項７に記載の空気調和機。
【請求項９】
熱交換器の前面に電気部品を収納したセンサーホルダーを備え、
前記センサーホルダーは、前記熱交換器から離隔する位置に回動可能であることを特徴とする請求項１に記載の空気調和機。
【請求項１０】
前記センサーホルダーは、前記熱交換器の側面カバーに回動軸を形成したことを特徴とする請求項９に記載の空気調和機。
【請求項１１】
前記センサーホルダーは、前記熱交換器の下部に設けられる露受け部に回動軸を形成したことを特徴とする請求項９に記載の空気調和機。
【請求項１２】
前記センサーホルダーの前記回動軸および該回動軸軸受けの断面形状は、一定回動角度毎に互いに一致する形状であることを特徴とする請求項９〜１１のいずれか一つに記載の空気調和機。
【請求項１３】
前記センサーホルダーに対するリード線の取付位置は、前記回動軸近傍であることを特徴とする請求項９〜１２のいずれか一つに記載の空気調和機。
【発明の詳細な説明】
【０００１】
【発明の属する技術分野】
この発明は、熱交換器などの洗浄時に洗浄剤や洗浄液を電気部品に付着させない電気部品保護構造を持たせた空気調和機に関するものである。
【０００２】
【従来の技術】
従来から、セパレートタイプの空気調和機は、室内ユニットと室外ユニットとを有し、それぞれ接続配管によって接続されている。この室内ユニットには、空気調和機の運転状態を示す表示部やリモートコントロール用の受光部などの制御用の電気部品を内蔵している。
【０００３】
図１０は、従来の空気調和機の室内ユニットの要部を示す縦断面図であり、図１１は、図１０に示した室内ユニット内の電気部品の保護構造体の外観を示す斜視図である（特開平６−３４１６７１号公報参照）。図１０において、熱交換器４の下部には、熱交換器４によって除湿された水分の滴下を受けて、この水分を外部に排出する露受け部６が設けられる。露受け部６の前面には、空気調和機の運転状態などを表示するための電気部品１３を含む表示部７が配置される。
【０００４】
表示部７の前面には、パネル１が配置され、パネル１の表示部７に対応する部分には、表示部用窓１４が設けられる。さらに、パネル１の前面には、前面グリル２が配置され、室内ユニット前面に組み付けられている。前面グリル２の表示部用窓１４に対応する部分には、前面グリル２の内側からランプカバー９が取り付けられている。
【０００５】
表示部７の内部には、発光部を形成する電気部品１３が含まれ、この発光部から発光された光は、表示部用窓１４およびランプカバー９を透過して外部に出射される。この出射された光を視認することによって、空気調和機の運転状態を把握できるようにしている。なお、特開平６−３４１６７１号公報に記載されているように、表示部７内に受光部を持たせる電気部品を配置し、リモコン受信を可能にするようにしてもよい。
【０００６】
【発明が解決しようとする課題】
ところで、この従来の空気調和機の室内ユニットを洗浄する場合には、前面グリル２が取り外される。この場合、表示部７は、表示部用窓１４を通して、表示部７の内部が露出するとともに、図１１に示すように、電気部品１３の一部がむき出し状態となっている。しかも、表示部７の天面には屋根状のリブなどが全く設けられていなかった。この結果、洗浄時には、電気部品１３に洗浄剤などの液体が付着するおそれがあった。
【０００７】
特に、熱交換器４などを洗浄する場合、洗浄剤が飛散し、この飛散した洗浄剤が、電気部品１３を内蔵する表示部７に付着して電気部品１３にまで到達し、あるいは表示部７における一部むき出しの電気部品１３に付着してしまうため、洗浄後における空気調和機の運転時に電気的な不具合が発生してしまうという問題点があった。
【０００８】
この発明は上記に鑑みてなされたもので、熱交換器４などの洗浄時に洗浄剤や洗浄液を電気部品１３に付着させない電気部品保護構造を持たせ、空気調和機の運転時に電気的な不具合が発生しないようにすることができる空気調和機を得ることを目的とする。
【０００９】
【課題を解決するための手段】
上記目的を達成するため、この発明にかかる空気調和機は、空気調和機の前面に配置されるパネルと該パネルの前面に取り付けられる前面グリルと該前面グリルの吸入口の内側に配置され、吸入された空気との熱交換を行う熱交換器と該熱交換器の下部に設けられ、該熱交換器に付着した水滴を回収する露受け部と該露受け部の前面と前記パネルとの間に設けられ、少なくとも運転状態表示を行う電気部品を内蔵した表示部とを有した空気調和機において、前記表示部による光通過部分であって前記パネル上に形成された表示用の開口部を少なくとも塞ぎ、該開口部と前記前面グリルとの間に設けられた透明カバーと、前記透明カバーの前面であって前記開口部に対応する前記前面グリル上に設けられ、光を通過させるランプカバーとを備え、前記前面グリルは、前記表示部による複数の光通過部分をそれぞれ仕切るリブを有することを特徴とする。
【００１０】
この発明によれば、透明カバーが、前記表示部による光通過部分であって前記パネル上に形成された表示用の開口部を少なくとも塞ぐようにし、かつ、ランプカバーとの組み合わせによって、外部に対して光の透過を確保できるようにするとともに、前記前面グリルのリブが、前記表示部による複数の光通過部分をそれぞれ仕切るようにし、隣接する光透過部分に対する光の侵入および干渉を防止するようにしている。
【００１１】
つぎの発明にかかる空気調和機は、上記の発明において、前記透明カバーは、前記パネルと前記表示部との間に設けられたことを特徴とする。
【００１２】
この発明によれば、前記透明カバーを、前記パネルと前記表示部との間に設けるようにし、洗浄剤が表示部に付着することを防止するようにしている。
【００１３】
つぎの発明にかかる空気調和機は、上記の発明において、前記透明カバーは、前記パネル側に取り付けられることを特徴とする。
【００１４】
この発明によれば、前記透明カバーを、前記パネル側に取り付けるようにしている。
【００１５】
つぎの発明にかかる空気調和機は、上記の発明において、前記透明カバーと前記パネルとの接合部は、凹凸形状であることを特徴とする。
【００１６】
この発明によれば、前記透明カバーと前記パネルとの接合部を、凹凸形状として、密着性をよくしている。
【００１７】
つぎの発明にかかる空気調和機は、上記の発明において、前記透明カバーは、前記表示部側に取り付けられることを特徴とする。
【００１８】
この発明によれば、前記透明カバーを、前記表示部側に取り付けるようにしている。
【００２１】
つぎの発明にかかる空気調和機は、上記の発明において、前記透明カバー、前記ランプカバー、前記パネル、および前記前面グリルは、耐洗浄剤性の高い材料で形成したことを特徴とする。
【００２２】
この発明によれば、前記透明カバー、前記ランプカバー、前記パネル、および前記前面グリルは、耐洗浄剤性の高い材料で形成し、クレージングや浸食を防止するようにしている。
【００２３】
つぎの発明にかかる空気調和機は、上記の発明において、前記表示部は、その天面が延長された屋根状リブで形成されることを特徴とする。
【００２４】
この発明によれば、前記表示部の天面に、屋根状リブを形成し、洗浄時に表示部に洗浄剤が侵入するを防止するようにしている。
【００２５】
つぎの発明にかかる空気調和機は、上記の発明において、前記屋根状リブは、前記露受け部に向かって低くなる傾斜をもつことを特徴とする。
【００２６】
この発明によれば、前記屋根状リブを、前記露受け部に向かって低くなる傾斜をもたせ、屋根状リブに付着した洗浄剤が露受け部に流れるようにしている。
【００２７】
つぎの発明にかかる空気調和機は、熱交換器の前面に電気部品を収納したセンサーホルダーを備え、前記センサーホルダーは、前記熱交換器から離隔する位置に回動可能であることを特徴とする。
【００２８】
この発明によれば、熱交換器の前面に配置され、電気部品を収納したセンサーホルダーを、前記熱交換器から離隔する位置に回動できるようにし、洗浄時に、センサーホルダーに付着する洗浄剤の量を低減できるようにしている。
【００２９】
つぎの発明にかかる空気調和機は、上記の発明において、前記センサーホルダーは、前記熱交換器の側面カバーに回動軸を形成したことを特徴とする。
【００３０】
この発明によれば、前記センサーホルダーを、前記熱交換器の側面カバーに回動軸を形成し、熱交換器から確実に離隔できるようにしている。
【００３１】
つぎの発明にかかる空気調和機は、上記の発明において、前記センサーホルダーは、前記熱交換器の下部に設けられる露受け部に回動軸を形成したことを特徴とする。
【００３２】
この発明によれば、前記センサーホルダーを、前記熱交換器の下部に設けられる露受け部に回動軸を形成し、熱交換器から確実に離隔できるようにしている。
【００３３】
つぎの発明にかかる空気調和機は、上記の発明において、前記センサーホルダーの前記回動軸および該回動軸軸受けの断面形状は、一定回動角度毎に互いに一致する形状であることを特徴とする。
【００３４】
この発明によれば、前記センサーホルダーの前記回動軸および該回動軸軸受けの断面形状を、一定回動角度毎に互いに一致する形状、たとえば楕円形状あるいは長円形状とし、一定回動角度毎にセンサーホルダーが自己保持されるようにしている。
【００３５】
つぎの発明にかかる空気調和機は、上記の発明において、前記センサーホルダーに対するリード線の取付位置は、前記回動軸近傍であることを特徴とする。
【００３６】
この発明によれば、前記センサーホルダーに対するリード線の取付位置を、前記回動軸近傍とし、センサーホルダーの回動をスムーズに行えるようにしている。
【００３７】
【発明の実施の形態】
以下に添付図面を参照して、この発明にかかる空気調和機の好適な実施の形態を詳細に説明する。
【００３８】
実施の形態１．
図１は、この発明の実施の形態１である空気調和機の要部を示す縦断面図である。図１において、この空気調和機の室内ユニット本体前面には、パネル１が設けられ、このパネル１の前面には、前面グリル２が取り付けられる。前面グリル２の前面および上面には、熱交換される空気を吸い込ませる吸込口３が設けられる。吸込口３の本体内部側には、熱交換器４が配置され、熱交換器４の下部には、熱交換器４によって除湿された水分を排水するための露受け部６が配置される。
【００３９】
露受け部６の前面には、電気部品１３を内蔵した表示部７が設けられる。表示部７の前面には、パネル１が配置されるが、パネル１には、表示部７前面に突出した発光部１３ａ前面に対応した部分に表示部用窓１４が設けられる。すなわち、この表示部用窓１４から発光した光が出射できる開口部が設けられている。この表示用窓１４を含み、表示部７の前面部分に対応するパネル１部分の外側には、透明カバー８が取り付けられる。この表示部７の前面部分に対応するパネル１部分は、凹凸形状をなし、透明カバー８は、この凹凸形状に対応した凹凸形状をなし、パネル１に取り付けられる。また、表示部７の天面には、屋根状リブ１０が形成される。
【００４０】
さらに、透明カバー８の前面には、上述した前面グリル２が配置されているが、この前面グリル２の表示部用窓１４に対応する部分であって、前面グリル２と透明カバー８との間には、ランプカバー９が設けられる。前面グリル２の表示部用窓１４に対応する部分には、ランプカバー９の凸部分が内部からはめ込まれる穴が設けられ、ランプカバー９の凸部がこの穴にはめ込まれるとともに、ランプカバー９の内側裏面は、透明カバー８の表面に当接する。したがって、このランプカバー９の凸部が外部に露出し、この露出した部分から発光状態を視認することができる。
【００４１】
また、図２は、図１に示した表示部７近傍の構成を示すＡ−Ａ線断面図であり、表示部７は、水平方向に複数の発光部１３ａを有する。ここで、上述したように、複数の発光部１３ａの前面には、透明カバー８が設けられるが、この透明カバー８は、複数の発光部１３ａを仕切るように、発光部１３ａ間の凹部に入り込む凸形状となっている。すなわち、前面グリル２には、複数の発光部１３ａ間を仕切るリブ２ａが形成され、透明カバー８は、このリブ２ａが形成する凸形状に合わせた凹凸形状をなす。
【００４２】
なお、パネル１、前面グリル２、露受け部６、表示部７、透明カバー８、およびランプカバー９を、樹脂によって形成する場合、耐洗浄剤性の高い材質で形成する。
【００４３】
ここで、この空気調和機の内部に配置された熱交換器４および熱交換器４の周辺部分を洗浄剤を用いて洗浄する場合、前面グリル２が取り外され、パネル１の前方から、熱交換器４側に向けて洗浄剤がスプレー状に吹き付けられる。洗浄剤は、スプレー状のため、飛散し、本来、洗浄剤を吹き付ける目的でない部分である表示部７の前面にも飛散する。
【００４４】
しかし、洗浄剤は、透明カバー８の前面に付着し、電気部品１３に到達はしない。特に、パネル１と透明カバー８とは、凹凸形状によって密着しているため、電気部品１３まで洗浄剤が侵入することをさらに防止することができる。また、屋根状リブ１０の存在によって、洗浄剤が表示部７の電気部品１３に到達するのを遮り、これによっても洗浄剤の侵入を防ぐことができる。この結果、洗浄後の運転時に、洗浄剤の付着による電気部品１３の不具合の発生をなくすことができる。
【００４５】
また、リブ２ａによって各発光部１３ａ間を仕切るようにしているので、隣接する発光部１３ａ間およびランプカバー９間において、光が互いに侵入せず、干渉しないため、発光部１３ａが発光する光の視認性を向上させることができる。
【００４６】
さらに、パネル１、前面グリル２、露受け部６、表示部７、透明カバー８、およびランプカバー９などを耐洗浄剤性の高い材質で形成するようにしているので、クレージングなどによる浸食を防止することができ、空気調和機全体の信頼性および耐久性を向上させることができる。
【００４７】
実施の形態２．
つぎに、この発明の実施の形態２について説明する。上述した実施の形態１では、透明カバー８を、パネル１に対して前面に配置するようにしていたが、この実施の形態２では、透明カバー８をパネル１に対して背面側、パネル１と表示部７との間に設けるようにしている。
【００４８】
図３は、この発明の実施の形態２である空気調和機の要部を示す縦断面図である。図３において、透明カバー８は、実施の形態１と同じように、発光部１３ａの前面に配置されるが、発光部１３ａの周縁では、パネル１と表示部７との間に配置される。さらに、透明カバー８の上部は、表示部７を覆う形状であり、透明カバー８は、表示部７に取り付けられる。その他の構成は、実施の形態１と同じである。
【００４９】
この実施の形態２による透明カバー８によっても、洗浄時に、洗浄剤が表示部７の電気部品１３に到達するの防ぐことができ、洗浄後の運転時に、洗浄剤の付着による電気部品１３の不具合の発生をなくすことができる。
【００５０】
実施の形態３．
つぎに、この発明の実施の形態３について説明する。上述した実施の形態１における表示部７の天面に配置された屋根状リブ１０は、水平に延びる形状であったが、この実施の形態３では、屋根状リブ１０の傾斜を、露受け部６に向かって低くなるように傾斜させている。
【００５１】
図４は、この発明の実施の形態３である空気調和機の要部を示す縦断面図である。図４において、屋根状リブ１０は、実施の形態１と異なり、その傾斜を、露受け部６に向かって低くなるように傾斜させるとともに、露受け部６側の端部が、露受け部６の上部に配置されるようにしている。その他の構成は、実施の形態１と同じである。
【００５２】
この実施の形態３では、屋根状リブ１０を、露受け部６側に向かって低くなるように傾斜させているので、屋根状リブ１０によって表示部７に侵入するのを遮った洗浄剤を、露受け部６に流すことができ、表示部７に影響を与えずに、この洗浄剤の回収を確実に行うことができる。
【００５３】
実施の形態４．
つぎに、この発明の実施の形態４について説明する。上述した実施の形態１〜３は、いずれも、表示部７が固定されるものであったが、この実施の形態４では、表示部７をセンサーホルダー５内に収納し、洗浄時に、このセンサーホルダーを移動できるようにしている。
【００５４】
図５は、この発明の実施の形態４である空気調和機の要部を示す斜視図である。図５において、実施の形態１〜３で示した電気部品１３を有する表示部７は、センサーホルダー５によって全面が覆われている。センサーホルダー５は、熱交換器４の前面の風路上に配置され、熱交換器４の左側のカバーである熱交換器左側カバー１１に、ヒンジ２１によって組み付けられている。なお、センサーホルダー５の前面には、ランプカバー５ａが取り付けられている。
【００５５】
ヒンジ２１は、図６に示すように、熱交換器左側カバー１１の前端部分における軸受け２２と、センサーホルダーの取り付け軸２３とによって形成される。軸受け２２と取り付け軸２３との断面形状は、互いに楕円形状あるいは長円形状であり、図７に示すように、約１８０度回動した時に自己位置を保持できるようにしている。なお、この断面形状は、一定回動角度で自己保持される形状であればよく、一定回動角度で形状が一致するような一定角度毎に線対称となる形状であってもよい。あるいは、一定回動角度毎に互いに嵌合する嵌合部を設けるようにしてもよい。
【００５６】
したがって、軸受け２２と取り付け軸２３との断面形状が、楕円形状あるいは長円形状である場合、その長軸方向を、パネル１の水平方向に一致させることによって、通常運転時において、センサーホルダー５は、図５に示す位置に自己保持される。ここで、熱交換器４などの洗浄を行う場合には、図８に示すように、センサーホルダー５を回動させ、１８０度回動した時点で自己保持されるようにする。これによって、センサーホルダー５は、熱交換器４から離隔するとともに、容易に熱交換器４側に戻ることはない。洗浄後には、センサーホルダー５をもとの位置に戻すようにする。
【００５７】
また、センサーホルダー５と空気調和機本体側とのリード線１２は、センサーホルダー５の取り付け軸２３近傍に配置し、センサーホルダー５の回動を妨げないようにしている。
【００５８】
この結果、洗浄時に、洗浄剤がセンサーホルダー５に吹きかからないようにすることができ、洗浄後におけるセンサーホルダー５内の電気部品の電気的不具合の発生を防ぐことができる。
【００５９】
実施の形態５．
つぎに、この発明の実施の形態５について説明する。上述した実施の形態４では、センサーホルダー５を熱交換器左側カバー１１にヒンジ２１によって組み付けるようにしていたが、この実施の形態５では、図９に示すように、センサーホルダー５を、露受け部６の前端にヒンジ２１を介して組み付けるようにしている。その他の構成は、実施の形態４と同じである。
【００６０】
この実施の形態５では、実施の形態４と同様に、洗浄時に、洗浄剤がセンサーホルダー５に吹きかからないようにすることができ、洗浄後におけるセンサーホルダー５内の電気部品の電気的不具合の発生を防ぐことができる。
【００６１】
【発明の効果】
以上説明したように、この発明によれば、透明カバーが、前記表示部による光通過部分であって前記パネル上に形成された表示用の開口部を少なくとも塞ぐようにし、かつ、ランプカバーとの組み合わせによって、外部に対して光の透過を確保できるようにしているので、空気調和機内の熱交換器などの洗浄時に、洗浄剤が表示部に付着せず、電気部品に洗浄剤が浸透することが防止され、洗浄後の運転時における電気的不具合の発生を低減することができるという効果を奏する。
【００６２】
つぎの発明によれば、前記透明カバーを、前記パネルと前記表示部との間に設けるようにし、洗浄剤が表示部に付着することを防止するようにしているので、空気調和機内の熱交換器などの洗浄時に、洗浄剤が表示部に付着せず、電気部品に洗浄剤が浸透することが防止され、洗浄後の運転時における電気的不具合の発生を低減することができるという効果を奏する。
【００６３】
つぎの発明によれば、前記透明カバーを、前記パネル側に取り付けるようにしているので、空気調和機内の熱交換器などの洗浄時に、洗浄剤が表示部に付着するのを確実に防止し、洗浄後の運転時における電気的不具合の発生を低減することができるという効果を奏する。
【００６４】
つぎの発明によれば、前記透明カバーと前記パネルとの接合部を、凹凸形状として、密着性をよくしているので、空気調和機内の熱交換器などの洗浄時に、洗浄剤が表示部に付着するのを確実に防止し、洗浄後の運転時における電気的不具合の発生を低減することができるという効果を奏する。
【００６５】
つぎの発明によれば、前記透明カバーを、前記表示部側に取り付けるようにしているので、空気調和機内の熱交換器などの洗浄時に、洗浄剤が表示部に付着するのを確実に防止し、洗浄後の運転時における電気的不具合の発生を低減することができるという効果を奏する。
【００６６】
つぎの発明によれば、前記前面グリルのリブが、前記表示部による複数の光通過部分をそれぞれ仕切るようにし、隣接する光透過部分に対する光の侵入および干渉を防止するようにしているので、表示部が発光する光の視認性を高めることができるという効果を奏する。
【００６７】
つぎの発明によれば、前記透明カバー、前記ランプカバー、前記パネル、および前記前面グリルは、耐洗浄剤性の高い材料で形成し、クレージングや浸食を防止するようにしているので、信頼性の高い空気調和機を実現することができるという効果を奏する。
【００６８】
つぎの発明によれば、前記表示部の天面に、屋根状リブを形成し、洗浄時に表示部に洗浄剤が侵入するを防止するようにしているので、洗浄後の運転時における電気的不具合の発生を低減することができるという効果を奏する。
【００６９】
つぎの発明によれば、前記屋根状リブを、前記露受け部に向かって低くなる傾斜をもたせ、屋根状リブに付着した洗浄剤が露受け部に流れるようにしているので、洗浄剤を露受け部によって確実に回収することができ、表示部の信頼性を高めることができるという効果を奏する。
【００７０】
つぎの発明によれば、熱交換器の前面に配置され、電気部品を収納したセンサーホルダーを、前記熱交換器から離隔する位置に回動できるようにし、洗浄時に、センサーホルダーに付着する洗浄剤の量を低減できるようにしているので、洗浄後の運転時における電気的不具合の発生を低減することができるという効果を奏する。
【００７１】
つぎの発明によれば、前記センサーホルダーを、前記熱交換器の側面カバーに回動軸を形成し、熱交換器から確実に離隔できるようにしているので、洗浄後の運転時における電気的不具合の発生を低減することができるという効果を奏する。
【００７２】
つぎの発明によれば、前記センサーホルダーを、前記熱交換器の下部に設けられる露受け部に回動軸を形成し、熱交換器から確実に離隔できるようにしているので、洗浄後の運転時における電気的不具合の発生を低減することができるという効果を奏する。
【００７３】
つぎの発明によれば、前記センサーホルダーの前記回動軸および該回動軸軸受けの断面形状を、一定回動角度毎に互いに一致する形状、たとえば楕円形状あるいは長円形状とし、一定回動角度毎にセンサーホルダーが自己保持されるようにしているので、洗浄時における洗浄剤がセンサーホルダーに付着するのを確実に防止し、洗浄後の運転時における電気的不具合の発生を低減することができるとともに、洗浄時の作業性が向上するという効果を奏する。
【００７４】
つぎの発明によれば、前記センサーホルダーに対するリード線の取付位置を、前記回動軸近傍とし、センサーホルダーの回動をスムーズに行えるようにしているので、センサーホルダー回動時の操作性を向上させることができ、洗浄時の作業性が向上するという効果を奏する。
【図面の簡単な説明】
【図１】  この発明の実施の形態１である空気調和機の要部を示す縦断面図である。
【図２】  図１に示した表示部近傍を示すＡ−Ａ線断面図である。
【図３】  この発明の実施の形態２である空気調和機の要部を示す縦断面図である。
【図４】  この発明の実施の形態３である空気調和機の要部を示す縦断面図である。
【図５】  この発明の実施の形態４である空気調和機の要部を示す斜視図である。
【図６】  図５に示したセンサーホルダーの横断面図である。
【図７】  図５に示したセンサーホルダーの回動状態を示す横断面図である。
【図８】  図５に示したセンサーホルダーの回動状態を示した空気調和機の要部斜視図である。
【図９】  この発明の実施の形態５である空気調和機の要部を示す斜視図である。
【図１０】  従来の空気調和機の要部を示す縦断面図である。
【図１１】  図１０に示した表示部を示す斜視図である。
【符号の説明】
１  パネル、２  前面グリル、２ａ  リブ、３  吸入口、４  熱交換器、５  センサーホルダー、５ａ，９  ランプカバー、６  露受け部、７  表示部、８  透明カバー、１０  屋根状リブ、１１  熱交換器左側カバー、１２  リード線、１３  電気部品、１３ａ  発光部、１４  表示部用窓、２１  ヒンジ、２２  軸受け、２３  取り付け軸。
【図１】
0004421753.tif 000002
【図２】
0004421753.tif 000003
【図３】
0004421753.tif 000004
【図４】
0004421753.tif 000005
【図５】
0004421753.tif 000006
【図６】
0004421753.tif 000007
【図７】
0004421753.tif 000008
【図８】
0004421753.tif 000009
【図９】
0004421753.tif 000010
【図１０】
0004421753.tif 000011
【図１１】
0004421753.tif 000012